(57)【要約】【課題】梱包や保管において取り扱いがしやすい竪樋支持具を提供する。【解決手段】樋支持具本体１０と取付足部２０とは、それぞれの端部に相互連結用の連結部１４、２２を有し、側面視で横並びで略直線状となる位置と、取付足部２０が樋支持具本体１０の帯板の幅方向の一端側に重なる位置との間で略半円状の回動ができるように連結部１４、２２どうしが連結されており、取付足部２０が、側面視で樋支持具本体１０と横並びで略直線状となる位置から、樋支持具本体１０の帯板の幅方向の他端側へ回動することを規制する回動規制部１５をさらに備えている。【選択図】図１
2018017026.tif 000002
【特許請求の範囲】
【請求項１】
帯板を開閉自在に環状に加工してなる竪樋抱持用の樋支持具本体と、軒先に固定される棒状の取付足部とを備えた竪樋支持具において、
前記樋支持具本体と前記取付足部とは、それぞれの端部に相互連結用の連結部を有し、側面視で横並びで略直線状となる位置と、前記取付足部が前記樋支持具本体の前記帯板の幅方向の一端側に重なる位置との間で略半円状の回動ができるように前記連結部どうしが連結されており、
前記取付足部が、側面視で前記樋支持具本体と横並びで略直線状となる位置から、前記樋支持具本体の前記帯板の幅方向の他端側へ回動することを規制する回動規制部をさらに備えたことを特徴とする竪樋支持具。
【請求項２】
請求項１において、
前記樋支持具本体の前記帯板の幅方向の一端側には、前記取付足部が前記樋支持具本体に重なるように回動したときに係合する凹部が形成されていることを特徴とする竪樋支持具。
【請求項３】
請求項１または２において、
前記取付足部は、前記連結部側の端部に、前記軒先に打ち込み固定するための被打叩部を備えており、
前記取付足部が前記樋支持具本体に重なるように回動したときに、前記被打叩部が前記樋支持具本体の外側に突出することを特徴とする竪樋支持具。
【発明の詳細な説明】
【技術分野】
【０００１】
本発明は、帯板を環状に加工してなる竪樋抱持用の樋支持具本体と、軒先に固定される棒状の取付足部とを備えた竪樋支持具に関する。
【背景技術】
【０００２】
従来のこの種の竪樋支持具は、相互に別体の樋支持具本体と取付足部とがリベット等で固定、連結されて構成されている（たとえば、特許文献１参照）。施工後に竪樋がぐらつかないようにするためには、このように両部材を相互に固定、連結する必要があった。
【先行技術文献】
【特許文献】
【０００３】
【特許文献１】特開２００５−２９９２５０号公報
【発明の概要】
【発明が解決しようとする課題】
【０００４】
しかしながら、樋支持具本体は平面視が円形などの形状であり、取付足部は棒状体であり、その棒状体が樋支持具本体の円周面から突出するように固着されているから、全体としては、いびつで取り扱いしにくい形状となっている。そのため、運搬や保管、さらにそれらにおける箱詰めが不便であった。
【０００５】
本発明は、そのような事情を考慮して提案されたもので、その目的は、使用前、施工前の梱包や保管において取り扱いがしやすいようにコンパクトなサイズにすることができ、かつ施工後には定常な形状を保持できる竪樋支持具を提供することにある。
【課題を解決するための手段】
【０００６】
上記目的を達成するために、請求項１に記載の竪樋支持具は、帯板を開閉自在に環状に加工してなる竪樋抱持用の樋支持具本体と、軒先に固定される棒状の取付足部とを備えた竪樋支持具において、樋支持具本体と取付足部とは、それぞれの端部に相互連結用の連結部を有し、側面視で横並びで略直線状となる位置と、取付足部が樋支持具本体の帯板の幅方向の一端側に重なる位置との間で略半円状の回動ができるように連結部どうしが連結されており、取付足部が、側面視で樋支持具本体と横並びで略直線状となる位置から、樋支持具本体の帯板の幅方向の他端側へ回動することを規制する回動規制部をさらに備えたことを特徴とする。
【０００７】
請求項２に記載の竪樋支持具は、樋支持具本体の前記帯板の幅方向の一端側には、取付足部が樋支持具本体に重なるように回動したときに係合する凹部が形成されていることを特徴とする。
【０００８】
請求項３に記載の竪樋支持具は、取付足部は、前記連結部側の端部に、軒先に打ち込み固定するための被打叩部を備えており、取付足部が樋支持具本体に重なるように回動したときに、被打叩部が樋支持具本体の外側に突出することを特徴とする。
【発明の効果】
【０００９】
請求項１に記載の竪樋支持具によれば、上述した構成となっているため、施工前の梱包や保管などにおいて取り扱いがしやすいようにコンパクトなサイズにすることができる。また、施工後には適切な形状を保持することができる。
【００１０】
請求項２に記載の竪樋支持具によれば、上述した構成となっているため、取付足部を樋支持具本体側へ回動させて折りたたんだ後の取付足部の横ずれを防止することができる。
【００１１】
請求項３に記載の竪樋支持具によれば、上述した構成となっているため、竪樋支持具の軒先への取付作業をしやすくできる。
【図面の簡単な説明】
【００１２】
【図１】（ａ）は本発明の一実施形態に係る竪樋支持具の分解斜視図、（ｂ）は要部の拡大斜視図である。
【図２】竪樋支持具の平面図である。
【図３】竪樋支持具の拡大縦断面図である。
【図４】（ａ）（ｂ）は、折りたたまれた竪樋支持具での使用態様を示す図である。
【図５】本発明の他の実施形態に係る竪樋支持具の説明図である。（ａ）は竪樋支持具の側面図、（ｂ）は竪樋支持具の取付足部の底面図である。
【発明を実施するための形態】
【００１３】
以下に、本発明の実施の形態について、添付図面をもとに説明する。まず、竪樋支持具１の基本構成について説明する。
【００１４】
本竪樋支持具１は、帯板を環状に加工してなる竪樋抱持用の樋支持具本体１０と、軒先に固定される棒状の取付足部２０とを備えた支持具である。樋支持具本体１０と取付足部２０とは、それぞれの端部に相互連結用の連結部１４、２２を有し、側面視で横並びで略直線状となる位置と、取付足部２０が樋支持具本体１０の帯板の幅方向の一端側に重なる位置との間で略半円状の回動ができるように連結部１４、２２どうしが連結されている。
【００１５】
竪樋支持具１は、取付足部２０が、側面視で樋支持具本体１０と横並びで略直線状となる位置から、樋支持具本体１０の帯板の幅方向の他端側へ回動することを規制する回動規制部１５（または回動規制部２４（図５参照））をさらに備えている。
【００１６】
このような構成となっているため、樋支持具本体１０と取付足部２０とを折りたたんで重ねて、使用状態とは異なるコンパクトな状態にすることができ、梱包や保管において取り扱いがしやすくなる。また、回動規制部１５、２４が形成されているため、施工後には適切な形状を保持することができる
【００１７】
以下、竪樋支持具１の詳細な構成について説明する。
【００１８】
図１の竪樋支持具１は、取付使用状態において後部側に配される取付足部２０の後端の尖端部２１を建築構造物の外壁４（図４（ｂ）参照）等の軒先に固定するものである。外壁４に固定した状態で、樋支持具本体１０により形成された環状の開口が上下方向を向き、その開口に竪樋３が抱持されるようになっている。
【００１９】
樋支持具本体１０と取付足部２０とは、相互に別体のものが、それぞれに有した連結部１４、２２どうしで連結されている。この連結構造については、樋支持具本体１０および取付足部２０を個別に説明した後に説明する。
【００２０】
樋支持具本体１０は、取付足部２０の前端が取り付けされる略半円状の受け環体１１と、この受け環体１１の一側端に、基端をヒンジ結合した開閉自在な略半円状の開閉環体１３とを備えている。
【００２１】
受け環体１１は、略１／４円状の２つの受け部材１２を連結してなる。それぞれの受け部材１２の連結部分には、相互に連結するための突出片１２ａが円周面の外方に突出形成されている。これら一組の突出片１２ａにより取付足部２０と連結するための連結部１４を構成している。また、これら２つの受け部材１２のうちの一方の受け部材１２の長手方向の前方端部にはヒンジ部１２ｂが形成され、他方の受け部材１２の長手方向の前方端部には係止凸部１２ｃが形成されている。
【００２２】
それぞれの突出片１２ａにはリベット等の固定具５を挿通させる挿通孔１２ａａが開設されている。図１（ｂ）に示すように、突出片１２ａどうしは所定間隔をスペーサ部で保持した状態で結合されている。このスペーサ部は、後述するように、取付足部２０の所定の回動を規制する回動規制部１５を構成する。
【００２３】
開閉環体１３は帯板を半円状に形成してなり、長手方向の一端にはヒンジ部１３ａが形成され、このヒンジ部１３ａが受け環体１１のヒンジ部１２ｂに組み付けられ、開閉環体１３が受け環体１１に対して回動自在に結合されている。また、開閉環体１３の長手方向の他端には、受け環体１１の係止凸部１２ｃが係止する係止凹部１３ｂが形成されている。さらに、開閉環体１３の長手方向の中間部で幅方向の一方の端部には切り欠き状の凹部１６が形成されている。
【００２４】
また、２つの受け部材１２および開閉環体１３のそれぞれには、長手方向に沿って、外方に突出した補強用リブ１２ｄ、１３ｃが形成されている。
【００２５】
一方、取付足部２０は上述したように棒状とされ、その前端は平板状に加工された連結部２２が形成され、その連結部２２には挿通孔２２ａが開設されている。
【００２６】
この連結部２２は、受け環体１１の突出片１２ａ間の隙間Ｓに挿入され、重合した３つの挿通孔１２ａａ、２２ａ、１２ａａに固定具５が挿通され固定されて、樋支持具本体１０と取付足部２０とがヒンジ結合した状態となっている。なお、相互の回動をスムーズにさせるために、突出片１２ａ間の隙間Ｓの寸法は取付足部２０の連結部２２の厚みよりやや大きめとすることが望ましい。
【００２７】
こうして２部材が連結された竪樋支持具１は、図３に示すように、側面視で略直線状となった状態で、建築構造物の外壁４に取り付けられて竪樋３を支持できるようになっている。
【００２８】
図３に示した状態から、取付足部２０を反時計回りに回動させれば、樋支持具本体１０の帯板の幅方向の一方の端部に重なるように近接させることができる（図３の２点鎖線参照）。このとき、取付足部２０は開閉環体１３に形成した凹部１６に係合する。また、樋支持具本体１０の連結部１４には回動規制部１５が設けてあるので、取付足部２０をそれ以上、時計回りに回動することはないし、樋支持具本体１０が反時計回りに回動することもない。
【００２９】
この竪樋支持具１は、このように連結部１４、２２を中心とした、上述したような半円分の回動が許容され、他の半円状の回動が禁止されているため、図３に示した状態で建築構造物に取り付ければ、図３の状態は保持され得る。
【００３０】
また、取付足部２０を折りたたんだ状態では、横方向の寸法が半分程度になり、運搬や保管において取り扱いがしやすくなる。このとき取付足部２０が樋支持具本体１０の凹部に入り込むので、その状態で取付足部２０がずれ動くことを防止できる。
【００３１】
このように竪樋支持具１を折りたためば、図４（ａ）に示すように、それらを重ねてコンパクトに梱包箱７に格納することができる。図４（ａ）に示すように横寸法の小さな梱包箱７に入れることができ、省スペース化が図れる。もちろん、いったん竪樋支持具１が施工された後には、回動規制部１５によって、樋支持具本体１０が軒先側に回動することが阻止される（図３参照）。
【００３２】
また、図４（ａ）（ｂ）に示すように、竪樋支持具１を折りたたんだ状態では取付足部２０の連結部２２の先端（開放端）が、樋支持具本体１０の連結部１４の先端よりも少し突出した状態となる。このように突出した取付足部２０の連結部２２の先端部が、竪樋支持具１を外壁４に打ち込み固定するための被打叩部２３を構成する。
【００３３】
このように折りたたみ状態で被打叩部２３が前方に突出しているため、図４（ｂ）に示すように、取付作業をする場合には、その被打叩部２３をハンマーで叩けばよい。つまり、樋支持具本体１０の開閉環体１３を開いて打ち込み作業をする必要がなく、安定した状態での打ち込み作業が行える。もちろん、折りたたんだ樋支持具本体１０が取付足部２０の打ち込みの障害になる場合は、２点鎖線で示したように樋支持具本体１０を立てた状態にすればよい。
【００３４】
以上には、回動規制部１５を樋支持具本体１０の連結部１４に設けたものを示したが、図５に示すように取付足部２０に回動規制部２４を設けるようにしてもよい。
【００３５】
回動規制部２４は、図５（ａ）に示すように、取付足部２０の連結部２２に固着された板状体とされ、底面側に垂下するように取り付けられている。板状体の幅寸法は、図５（ｂ）に示すように、両部材が連結された略直線状にあるときに、板状体の板面が樋支持具本体１０の連結部１４の先端面を覆う程度の寸法であればよい。
【符号の説明】
【００３６】
１            竪樋支持具
３            竪樋
４            外壁
１０          樋支持具本体
１１          受け環体
１２          受け部材
１２ａ        突出片
１２ａａ      挿通孔
１２ｂ        ヒンジ部
１２ｃ        係合凸部
１２ｄ        補強用リブ
１３          開閉環体
１３ａ        ヒンジ部
１３ｂ        係合凹部
１３ｃ        補強用リブ
１４          連結部
１５          回動規制部
１６          凹部
２０          取付足部
２１          尖端部
２２          連結部
２２ａ        挿通孔
２３          被打叩部
２４          回動規制部
５            固定具
７            梱包箱
【図１】
2018017026.tif 000003
【図２】
2018017026.tif 000004
【図３】
2018017026.tif 000005
【図４】
2018017026.tif 000006
【図５】
2018017026.tif 000007